(57)【特許請求の範囲】
【請求項１】
設定されたチャンネルを有し、１乃至複数の照明負荷を点灯制御する装置本体と、チャンネルを指定するチャンネル信号及び装置本体を制御する制御信号を送信する送信器とからなる照明装置であって、装置本体は、前記照明負荷を点灯させる点灯回路部と、送信器からのチャンネル信号及び制御信号を受信する受信部と、チャンネルを記憶する記憶部と、受信部で受信されたチャンネル信号により指定されるチャンネルが、記憶部に記憶されているチャンネルに一致するか否かを判別する判別部と、判別部で前記チャンネルが互いに一致すると判別されたとき、受信部で受信された制御信号に応じて点灯回路部を制御する制御部とを備え、制御部は、記憶部に記憶されているチャンネルが判別部で認識不可能なとき、送信器から送信されるチャンネル信号で指定されたチャンネルを記憶部に設定する設定待機状態となることを特徴とする照明装置。
【請求項２】
設定されたチャンネルを有し、１乃至複数の照明負荷を点灯制御する装置本体と、チャンネルを指定するチャンネル信号及び装置本体を制御する制御信号を送信する送信器とからなる照明装置であって、装置本体は、前記照明負荷を点灯させる点灯回路部と、送信器からのチャンネル信号及び制御信号を受信する受信部と、チャンネルを記憶する記憶部と、受信部で受信されたチャンネル信号により指定されるチャンネルが、記憶部に記憶されているチャンネルに一致するか否かを判別する判別部と、判別部で前記チャンネルが互いに一致すると判別されたとき、受信部で受信された制御信号に応じて点灯回路部を制御する制御部とを備えるとともに、制御部をリセットするリセット手段を装置本体及び送信器のうち少なくとも何れか一方に備え、制御部は、リセット手段によりリセットされたとき、送信器から送信されるチャンネル信号で指定されたチャンネルを記憶部に設定する設定待機状態となることを特徴とする照明装置。
【請求項３】
設定されたチャンネルを有し、１乃至複数の照明負荷を点灯制御する装置本体と、チャンネルを指定するチャンネル信号及び装置本体を制御する制御信号を送信する送信器とからなる照明装置であって、装置本体は、前記照明負荷を点灯させる点灯回路部と、送信器からのチャンネル信号及び制御信号を受信する受信部と、チャンネルを記憶する記憶部と、受信部で受信されたチャンネル信号により指定されるチャンネルが、記憶部に記憶されているチャンネルに一致するか否かを判別する判別部と、判別部で前記チャンネルが互いに一致すると判別されたとき、受信部で受信された制御信号に応じて点灯回路部を制御する制御部と、記憶部に記憶されているチャンネルをバックアップ用に保存する保存部とを備え、制御部は、保存部によりバックアップされて記憶部に再び記憶されたチャンネルが判別部で認識不可能なとき、送信器から送信されるチャンネル信号で指定されたチャンネルを記憶部に設定する設定待機状態となることを特徴とする照明装置。
【請求項４】
設定されたチャンネルを有し、１乃至複数の照明負荷を点灯制御する装置本体と、チャンネルを指定するチャンネル信号及び装置本体を制御する制御信号を送信する送信器とからなる照明装置であって、装置本体は、前記照明負荷を点灯させる点灯回路部と、送信器からのチャンネル信号及び制御信号を受信する受信部と、チャンネルを記憶する記憶部と、受信部で受信されたチャンネル信号により指定されるチャンネルが、記憶部に記憶されているチャンネルに一致するか否かを判別する判別部と、判別部で前記チャンネルが互いに一致すると判別されたとき、受信部で受信された制御信号に応じて点灯回路部を制御する制御部と、記憶部に記憶されているチャンネルをバックアップ用に保存する保存部とを備え、制御部は、保存部によりバックアップされたチャンネルが記憶部に設定不可能なとき、設定待機状態となることを特徴とする照明装置。
【請求項５】
リセット手段は、送信器に備えられて、制御部にリセットするように指示するリセット信号を送信し、制御部は、受信部で前記リセット信号が受信されると、リセットすることを特徴とする請求項２記載の照明装置。
【請求項６】
請求項１〜５の照明装置を備えた照明器具であって、装置本体が配設される器具本体を備えたことを特徴とする照明器具。
【発明の詳細な説明】
【０００１】
【発明の属する技術分野】
本発明は、照明装置及びそれを備えた照明器具に関するものである。
【０００２】
【従来の技術】
従来より、設定されたチャンネルを有し、１乃至複数の照明負荷が点灯制御される装置本体と、チャンネルを指定するチャンネル信号及び装置本体を制御する制御信号から構成されるワイヤレス信号を送信する送信器とからなり、送信器からチャンネル信号により指定された装置本体を遠隔操作して、照明負荷を点灯又は消灯又は調光させる照明装置が提供されている。
【０００３】
装置本体は、商用電源により前記照明負荷を点灯させる点灯回路部と、ワイヤレス信号を受信して前記制御信号に応じて点灯回路部を制御する受信制御部とを備えている。このような装置本体は器具本体に配設されて、装置本体及び器具本体並びにセードなどから照明器具が構成される。そして、この照明器具は、天井などに据え付けられる。
【０００４】
受信制御部は、外部電源により動作するマイクロコンピュータを備えており、このマイクロコンピュータにはチャンネルが記憶される記憶部が設けられている。マイクロコンピュータは、記憶部に記憶されている前記チャンネルを読み出して、受信されたワイヤレス信号により指定されるチャンネルが記憶部に記憶されているチャンネルに一致するか否かを判別し、各チャンネルが互いに一致すると判別したときには、ワイヤレス信号の制御信号に応じて点灯回路部を制御する。
【０００５】
また、受信制御部は、記憶部に記憶されているチャンネルと、マイクロコンピュータの制御内容とをバックアップ用に保存する不揮発性のメモリを備えている。例えば停電などによってマイクロコンピュータへの電源供給が停止されたときにも、停電直前の記憶部に記憶されていたチャンネルと、そのときのマイクロコンピュータの制御内容とはメモリに保存されているので、マイクロコンピュータに再び給電されたときには、マイクロコンピュータは、メモリに保存された前記チャンネルと制御内容とを読み出して、前記制御内容で点灯回路部を制御し、前記チャンネルを記憶部に再び記憶させる。その結果、装置本体は、停電直前と同様の状態で、照明負荷を点灯又は消灯させるとともに、送信器により操作可能な状態となる。
【０００６】
ところで記憶部へのチャンネル設定は、送信器から送信されるチャンネル信号で設定される（特公平２−１５１５７号参照）。装置本体に備えられた設定スイッチを操作すると、受信制御部のマイクロコンピュータは、設定待機状態となり、この設定待機状態となっているときにチャンネル信号が受信されると、前記チャンネル信号により指定されたチャンネルを記憶部に記憶する。このとき、記憶部に予め記憶されていたチャンネルは消去され、改めてチャンネルが設定し直される。
【０００７】
また、装置本体にはリセットスイッチが備えられており、このリセットスイッチが操作されたときには、マイクロコンピュータはリセットされて、記憶部の記憶内容がクリアされ、予め初期設定されている初期設定チャンネルが記憶部に記憶される。
【０００８】
例えば、停電などによって、マイクロコンピュータの記憶部に記憶されているチャンネルの記憶データが一部でも欠落したり、マイクロコンピュータが強制的にリセットされたり、メモリに保存していた保存データが一部でも欠落したり、マイクロコンピュータとメモリとの間で通信障害が生じて、記憶部に正常なチャンネルが設定されなかったりしたときには、マイクロコンピュータは、記憶部に設定されているチャンネルを認識することができないので、送信器からのワイヤレス信号で指定されるチャンネルと上記記憶部のチャンネルとの一致、不一致を判別することができず、装置本体が送信器で操作できない状態となることがある。
【０００９】
そこで、ユーザーはリセットスイッチを操作することで、マイクロコンピュータをリセットして記憶部に初期設定チャンネルを設定する。なお、前記初期設定チャンネルは、マイクロコンピュータへの給電が停止されても消去されないものである。また、初期設定チャンネルが、送信器のワイヤレス信号で指定するチャンネルと異なるときには、ユーザーは設定スイッチを操作して、前記チャンネルを記憶部に設定し直す。
【００１０】
さらに受信制御部のマイクロコンピュータは、記憶部に記憶されているチャンネルを認識可能か否かを検知しており、例えばノイズなどの影響によって上述のような記憶部の記憶データに異常が生じて、チャンネルの認識が不可であることを検知したときには、上記リセットスイッチが操作されたときと同様、記憶部の記憶内容をクリアして初期設定チャンネルを改めて記憶部に設定する。
【００１１】
【発明が解決しようとする課題】
しかしながら上記従来の照明装置では、ノイズなどの影響によって記憶部の記憶データに異常が生じてチャンネルの認識が不可能となったとき、上述のリセットスイッチの操作やマイクロコンピュータの検知によって初期設定チャンネルが記憶部に設定し直されても、初期設定チャンネルが送信器のワイヤレス信号で指定するチャンネルと異なっている場合には、送信器で装置本体を操作することができず、天井に据え付けられている照明器具の設定スイッチを操作して、チャンネルを設定し直す必要があり、使い勝手が悪いといった問題があった。また、上述のように送信器で装置本体を操作することができなくなったときには、その原因がユーザーにとって分かり難い。
【００１２】
さらに、マイクロコンピュータが、停電時にバックアップとしてメモリにチャンネルを保存させていても、前記チャンネルを記憶部に設定できなかったときには、チャンネルの一致、不一致を判別できなくなり、装置本体は、送信器で操作できない状態となる。そこでユーザーは、リセットスイッチを操作する。
【００１３】
しかし、上述と同様、初期設定チャンネルが送信器で指定されるチャンネルと異なる場合には、リセットスイッチを操作してもユーザーは送信器で装置本体を操作できない。また、その原因がユーザーにとって分りづらく、原因に気付いたとしても、ユーザーは照明器具の設定スイッチを操作して、記憶部に送信器で指定されるチャンネルを設定しなければならず、使い勝手が悪いのである。
【００１４】
例えば、図４に示すように、照明器具が天井に据え付けられたときには、まず、リセットスイッチが操作されて、マイクロコンピュータがリセットされる。このとき初期設定チャンネルＣＨ１が装置本体の記憶部に記憶される。
【００１５】
しかし、送信器で指定するチャンネルがＣＨ２である場合、ユーザーが送信器で装置本体に対してチャンネルＣＨ２を指定するワイヤレス信号を送信しても、装置本体のマイクロコンピュータは、記憶部に記憶されている初期設定チャンネルＣＨ１と、送信器から指定されたチャンネルＣＨ２とが一致しないと判別するので、ワイヤレス信号の制御信号に応じた制御を行わないのである。つまり、ユーザーは、送信器を操作しても、装置本体の照明負荷を点灯又は消灯させることができない。
【００１６】
そこで、ユーザーは、装置本体の設定スイッチを操作して、マイクロコンピュータを設定待機状態とし、送信器からチャンネルＣＨ２を指定するワイヤレス信号を送信する。受信制御部で前記ワイヤレス信号を受信すると、マイクロコンピュータは、記憶部に記憶されているチャンネルＣＨ１を消去して、記憶部にチャンネルＣＨ２を記憶させる。
【００１７】
このようなチャンネル設定の後に、ユーザーが送信器によりワイヤレス信号を送信したときには、装置本体のマイクロコンピュータでチャンネルが互いに一致すると判別されるので、装置本体を前記ワイヤレス信号の制御信号に応じて操作し、照明負荷を点灯又は消灯させることができる。
【００１８】
その後、例えばノイズが印加されて、記憶されていたチャンネルの記憶データに異常が生じ、マイクロコンピュータで前記チャンネルを認識できなくなった場合、マイクロコンピュータは、チャンネルの認識が不可能であることを検知して、記憶部に初期設定チャンネルＣＨ１を設定し直す。
【００１９】
しかし、記憶部に初期設定チャンネルＣＨ１が設定し直されても、初期設定チャンネルＣＨ１と送信器で指定されるチャンネルＣＨ２は一致しないので、送信器から装置本体を操作することができなくなってしまうのである。
【００２０】
このようなとき、ユーザーは、送信器で装置本体を操作できなくなった原因が分りづらく、原因が分ったとしても、わざわざ天井に据え付けられた照明器具の装置本体の設定スイッチを操作して、記憶部にチャンネルＣＨ２を設定し直さなければならない。このようにしてチャンネルを設定し直すことで、記憶部に記憶されたチャンネルを、送信器からのワイヤレス信号にて指定するチャンネルＣＨ２に一致させ、送信器からの装置本体の操作が可能となる。
【００２１】
本発明は上記問題点の解決を目的とするものであり、意識することなくチャンネル設定が容易に行える照明装置及びそれを備えた照明器具を提供する。
【００２２】
【課題を解決するための手段】
上記目的を達成するために、請求項１の発明は、設定されたチャンネルを有し、１乃至複数の照明負荷を点灯制御する装置本体と、チャンネルを指定するチャンネル信号及び装置本体を制御する制御信号を送信する送信器とからなる照明装置であって、装置本体は、前記照明負荷を点灯させる点灯回路部と、送信器からのチャンネル信号及び制御信号を受信する受信部と、チャンネルを記憶する記憶部と、受信部で受信されたチャンネル信号により指定されるチャンネルが、記憶部に記憶されているチャンネルに一致するか否かを判別する判別部と、判別部で前記チャンネルが互いに一致すると判別されたとき、受信部で受信された制御信号に応じて点灯回路部を制御する制御部とを備え、制御部は、記憶部に記憶されているチャンネルが判別部で認識不可能なとき、送信器から送信されるチャンネル信号で指定されたチャンネルを記憶部に設定する設定待機状態となることを特徴とし、例えばノイズなどが印加されて記憶部に記憶されているチャンネルの記憶状態に異常が生じたときには、判別部で前記チャンネルを認識できなくなるが、このときに制御部を設定待機状態とすることによって、ユーザーが装置本体を操作しようとして送信器からチャンネル信号及び制御信号を送信すると、前記チャンネル信号で指定されるチャンネルが記憶部に設定されるため、ユーザーは意識することなく容易にチャンネルを設定することができて使い勝手を向上することができる。
【００２３】
請求項２の発明は、設定されたチャンネルを有し、１乃至複数の照明負荷を点灯制御する装置本体と、チャンネルを指定するチャンネル信号及び装置本体を制御する制御信号を送信する送信器とからなる照明装置であって、装置本体は、前記照明負荷を点灯させる点灯回路部と、送信器からのチャンネル信号及び制御信号を受信する受信部と、チャンネルを記憶する記憶部と、受信部で受信されたチャンネル信号により指定されるチャンネルが、記憶部に記憶されているチャンネルに一致するか否かを判別する判別部と、判別部で前記チャンネルが互いに一致すると判別されたとき、受信部で受信された制御信号に応じて点灯回路部を制御する制御部とを備えるとともに、制御部をリセットするリセット手段を装置本体及び送信器のうち少なくとも何れか一方に備え、制御部は、リセット手段によりリセットされたとき、送信器から送信されるチャンネル信号で指定されたチャンネルを記憶部に設定する設定待機状態となることを特徴とし、制御部はリセット手段によりリセットされたとき、設定待機状態となることによって、前記設定待機状態のときにユーザーが装置本体を操作しようとして送信器からチャンネル信号及び制御信号を送信すると、前記チャンネル信号で指定されるチャンネルが記憶部に設定されるため、ユーザーは意識することなく容易にチャンネルを設定することができて使い勝手を向上することができ、例えば従来例のように、送信器で指定するチャンネルと異なる初期設定チャンネルが記憶部に設定されて、送信器から装置本体を操作できなることで、チャンネルを設定し直さなければならないといった手間を省くことができるとともに、初期設定チャンネルを設定する必要がないので、前記初期設定チャンネルのデータ容量を削減することができる。
【００２４】
請求項３の発明は、設定されたチャンネルを有し、１乃至複数の照明負荷を点灯制御する装置本体と、チャンネルを指定するチャンネル信号及び装置本体を制御する制御信号を送信する送信器とからなる照明装置であって、装置本体は、前記照明負荷を点灯させる点灯回路部と、送信器からのチャンネル信号及び制御信号を受信する受信部と、チャンネルを記憶する記憶部と、受信部で受信されたチャンネル信号により指定されるチャンネルが、記憶部に記憶されているチャンネルに一致するか否かを判別する判別部と、判別部で前記チャンネルが互いに一致すると判別されたとき、受信部で受信された制御信号に応じて点灯回路部を制御する制御部と、記憶部に記憶されているチャンネルをバックアップ用に保存する保存部とを備え、制御部は、保存部によりバックアップされて記憶部に再び記憶されたチャンネルが判別部で認識不可能なとき、送信器から送信されるチャンネル信号で指定されたチャンネルを記憶部に設定する設定待機状態となることを特徴とし、例えばノイズなどが印加されて記憶部に記憶されているチャンネルの記憶状態に異常が生じたときには、判別部で前記チャンネルを認識できなくなるが、このときに制御部を設定待機状態とすることで、ユーザーが装置本体を操作しようとして送信器からチャンネル信号及び制御信号を送信すると、前記チャンネル信号で指定されるチャンネルが記憶部に設定されるため、ユーザーは意識することなく容易にチャンネルを設定することができて使い勝手を向上することができる。
【００２５】
請求項４の発明は、設定されたチャンネルを有し、１乃至複数の照明負荷を点灯制御する装置本体と、チャンネルを指定するチャンネル信号及び装置本体を制御する制御信号を送信する送信器とからなる照明装置であって、装置本体は、前記照明負荷を点灯させる点灯回路部と、送信器からのチャンネル信号及び制御信号を受信する受信部と、チャンネルを記憶する記憶部と、受信部で受信されたチャンネル信号により指定されるチャンネルが、記憶部に記憶されているチャンネルに一致するか否かを判別する判別部と、判別部で前記チャンネルが互いに一致すると判別されたとき、受信部で受信された制御信号に応じて点灯回路部を制御する制御部と、記憶部に記憶されているチャンネルをバックアップ用に保存する保存部とを備え、制御部は、保存部によりバックアップされたチャンネルが記憶部に設定不可能なとき、設定待機状態となることを特徴とし、保存部によりバックアップされたチャンネルを記憶部に設定できなかったとき、制御部を設定待機状態とすることによって、ユーザーが装置本体を操作しようとして送信器からチャンネル信号及び制御信号を送信すると、前記チャンネル信号で指定されるチャンネルが記憶部に設定されるため、ユーザーは意識することなく容易にチャンネルを設定することができて使い勝手を向上することができ、例えば従来例のように、ユーザーが装置本体側のリセットスイッチや設定スイッチを操作してチャンネルを設定しなければならないといった手間を省くことができる。
【００２６】
請求項５の発明は、請求項２の発明において、リセット手段は、送信器に備えられて、制御部にリセットするように指示するリセット信号を送信し、制御部は、受信部で前記リセット信号が受信されると、リセットすることを特徴とし、リセット手段を送信器に備えたことによって、例えば従来例のように装置本体側のリセットスイッチを操作することを要さずに、送信器で容易に制御部をリセットすることができ、且つ装置本体にリセットスイッチを要しないので、装置本体の小型化および低コスト化を図ることができる。
【００２７】
請求項６の発明は、請求項１〜５の照明装置を備えた照明器具であって、装置本体が配設される器具本体を備えたことを特徴とし、請求項１〜５と同様の作用を奏する。
【００２８】
【発明の実施の形態】
（実施形態１）
本実施形態の照明装置は、図１（ａ）に示すように、設定されたチャンネルを有し、二重環形蛍光ランプ１及び豆球２の照明負荷を点灯制御する装置本体Ａと、チャンネルを指定するコード化されたチャンネル信号及び装置本体Ａを制御する制御信号から構成される例えば赤外線を媒体としたワイヤレス信号を送信する送信器Ｂとからなる。
【００２９】
装置本体Ａは、商用電源ＡＣにより蛍光ランプ１を点灯させる点灯回路部３と、商用電源ＡＣにより豆球２を点灯させる点灯回路部６と、ワイヤレス信号を受信して前記ワイヤレス信号に応じて点灯回路部３，６を制御する受信制御部４とを備えている。このような、装置本体Ａは、器具本体に配設され、前記装置本体と器具本体と、器具本体の周囲に取り付けられるセードとなどから照明器具が構成される。また、このような照明器具は、天井などに据え付けられる。
【００３０】
受信制御部４は、送信器Ｂからのワイヤレス信号を受信する受光部７と、チャンネルを記憶する記憶部９と、受光部７で受信されたワイヤレス信号のチャンネル信号をデコードし、前記チャンネル信号により指定されたチャンネルが、記憶部９に記憶されているチャンネルに一致するか否かを判別する判別部８と、判別部８で前記チャンネルが互いに一致すると判別されたとき、受光部７で受信されたワイヤレス信号の制御信号に応じて、蛍光ランプ１及び豆球２を点灯させる点灯制御信号、蛍光ランプ１を調光させる調光制御信号を出力して点灯回路部３，６を制御する制御部１０とを備える。
【００３１】
また、記憶部９と判別部８と制御部１０とはマイクロコンピュータにて構成されて、このマイクロコンピュータは、専用のソフトウェアにて動作する。
【００３２】
点灯回路部３は、商用電源ＡＣから直流電圧を生成し、直流電圧をインバータ回路により高周波交番電圧に変換して蛍光ランプ１に与えるものが用いられる。この種の点灯回路部３では、インバータ回路を構成するスイッチング素子のオン／オフの周波数を変化させることによって、蛍光ランプ１に供給する電力を調整することができる。つまり、点灯回路部３にはスイッチング素子を駆動する駆動回路５が設けられ、受信制御部４の制御部１０からの電圧信号である調光制御信号を受けて電圧値に応じた周波数の駆動信号を出力するＶ／Ｆ変換回路が含まれ、駆動信号がスイッチング素子に与えられることによって蛍光ランプ１の光出力が制御される。
【００３３】
一方、送信器Ｂは、片手で持つことができる程度の大きさの偏平な器体２０を有する。器体２０の前面には、蛍光ランプ１の点灯と消灯とをそれぞれ指示する点灯スイッチ２１及び消灯スイッチ２２と、豆球２の点灯を指示する豆球スイッチ２３と、蛍光ランプ１の光出力を定格点灯状態よりも小さくする調光点灯を指示する調光スイッチ２４と、調光スイッチ２４により調光点灯が指示された状態で蛍光ランプ１の光出力の調整を指示するアップスイッチ２５およびダウンスイッチ２６を備える。これらのスイッチ２１〜２６は、いずれも押ボタンスイッチであって押操作中に上記指示内容の制御信号を発生する。
【００３４】
また、送信器Ｂは、装置本体Ａに指定するチャンネルを選択設定する選択設定スイッチ（図示せず）を備えており、前記選択設定スイッチによって、例えばチャンネルＣＨ１又はチャンネルＣＨ２が設定されている。ここで、前記各スイッチ２１〜２６が押操作されたときには、前記選択設定スイッチにより設定されたチャンネルを指定するチャンネル信号と、前記各スイッチ２１〜２６に応じた制御信号とから構成されるワイヤレス信号が送信器Ｂから装置本体Ａに送信される。例えば、点灯スイッチ２１を押操作したときには、前記選択設定スイッチにより選択設定されたチャンネルＣＨ２を指定するチャンネル信号と、蛍光ランプ１を点灯させる制御信号とから構成されるワイヤレス信号が送信器Ｂから装置本体Ａに送信される。
【００３５】
ところで、本実施形態の受信制御部４の制御部１０は、記憶部９に記憶されているチャンネルを判別部８で認識可能か否かを検知している。そして制御部１０は、例えば記憶部９に記憶されているチャンネルの記憶データが一部でも失われたり、他のデータに変化してしまったりなどの異常が生じて、判別部８で前記チャンネルを認識できないことを検知したときには、優先的に設定待機状態となる。前記設定待機状態の制御部１０は、チャンネル信号が受光部７に受信されると、記憶部９に記憶されていたチャンネルを、前記チャンネル信号で指定されたチャンネルに設定するのである。
【００３６】
さらに装置本体Ａには、リセットスイッチが操作されることでマイクロコンピュータをリセットするリセット手段が備えられいる。マイクロコンピュータがリセットされたときにも、制御部１０は設定待機状態となるとともに、初期設定されている制御内容にて点灯回路３，６を制御する。
【００３７】
ここで、本実施形態の動作について、図１（ｂ）を参照して説明する。
【００３８】
まず、照明器具が天井に据え付けられたときには、装置本体Ａのリセットスイッチが操作され、マイクロコンピュータがリセットされる。そして、このリセットにより制御部１０は上述の設定待機状態となる。このときにユーザーが装置本体Ａを操作しようとして送信器Ｂからワイヤレス信号でチャンネルＣＨ２を指定するチャンネル信号を送信すると、制御部１０は、受光部７で受信されたチャンネル信号をデコードして、指定されたチャンネルＣＨ２を記憶部９に設定する。
【００３９】
これにより、ユーザーは意識することなく容易に送信器で指定されるチャンネルを記憶部９に設定することができる。その結果、従来例のように送信器Ｂで指定するチャンネルと異なる初期設定チャンネルが記憶部９に設定されて、送信器Ｂで装置本体Ａを操作できなくなり、チャンネルを再び設定し直さなければならないといった手間を省くことができる。また、初期設定チャンネルを初期設定しておく必要がないので前記初期設定チャンネルのデータ容量を削減することができる。
【００４０】
上述のようにチャンネルが設定されることで、装置本体Ａは、送信器Ｂのスイッチ２１〜２６で操作可能な状態となって、ユーザーが再び送信器Ｂから前記チャンネル信号を有するワイヤレス信号を送信したときには、判別部８は、記憶部９に設定されたチャンネルＣＨ２を認識し、このチャンネルＣＨ２が送信器Ｂからのチャンネル信号で指定されるチャンネルＣＨ２に一致すると判別するので、制御部１０は、ワイヤレス信号の制御信号に応じて点灯制御回路部３，６を制御する。
【００４１】
次に、例えばノイズが記憶部９に印加されて、記憶部９に記憶されているチャンネルの記憶データに異常が生じ、判別部８で前記チャンネルを認識できなくなった場合、制御部１０は、前記チャンネルの認識が不可能であることを検知して設定待機状態となる。
【００４２】
このときにも、上述と同様、ユーザーが装置本体Ａを操作しようとして送信器Ｂからワイヤレス信号でチャンネルＣＨ２を指定するチャンネル信号を送信すると、制御部１０は、受光部７で受信されたチャンネル信号をデコードして、指定されたチャンネルＣＨ２を記憶部９に設定する。
【００４３】
その結果、装置本体Ａは送信器Ｂで操作可能な状態となって、次にユーザーが送信器Ｂから前記チャンネル信号を有するワイヤレス信号を送信したときには、判別部９でチャンネルの一致が判別されるので、制御部１０は、受信されたワイヤレス信号の制御信号に応じて点灯制御回路部３，６を制御するのである。
【００４４】
つまり本実施形態では、装置本体Ａのチャンネルの記憶データに異常が生じたり、マイクロコンピュータがリセットされても、意識することなくチャンネルを設定することができる。その結果、従来例のようにチャンネルを設定し直すために、照明器具のセードなどを取り外したりして装置本体側の設定スイッチを操作したりすることを要さずに、チャンネル設定の手間を省くことができるのである。
（実施形態２）
ところで実施形態１では、制御部１０及び記憶部９並びに判別部８を構成するマイクロコンピュータは、装置本体Ａに備えられた図示しない電源回路からの電源供給により動作し、前記電源回路は、商用電源ＡＣからマイクロコンピュータに応じた電源を作成している。このような実施形態１では、商用電源ＡＣが停電してしまったときには、マイクロコンピュータへの電源供給が停止して、記憶部９に記憶させていたチャンネルが消去してしまうことがある。
【００４５】
そこで本実施形態では、図２に示すように、停電直前の記憶部９に記憶されているチャンネルをバックアップ用に保存するとともに、停電直前の制御部１０の制御内容を保存する保存部１１と、商用電源ＡＣから通電信号を作成して、制御部１０に出力し、商用電源ＡＣの停電により前記電源回路からマイクロコンピュータへの電源供給が停止したときにも、暫くの間だけマイクロコンピュータに電源を供給する補助電源回路１２とを備えている。
【００４６】
保存部１１は、例えば不揮発性の半導体メモリからなり、外部からの電源供給を要さずに前記チャンネルなどを保存する。
【００４７】
商用電源ＡＣが停電したときには、補助電源回路１２により暫くの間だけ受信制御部４のマイクロコンピュータに電源が供給され、この電源供給によりマイクロコンピュータの制御部１０は、補助電源回路１２からの通電信号により商用電源ＡＣが停電したことを検知し、記憶部９に記憶されているチャンネルと、点灯回路部３，６を制御している制御内容とを保存部１１に保存する。
【００４８】
そして商用電源ＡＣが通電したときには、制御部１０は、まず保存部１１に保存されているチャンネルと制御内容とを読み出して前記チャンネルを記憶部９に設定する。そして制御部１０は、停電する前と同様の制御内容で点灯回路部３，６を制御して蛍光ランプ１及び豆球２を点灯、消灯、調光させるとともに、装置本体Ａは、送信器Ｂの各スイッチ２１〜２６で操作可能な状態となる。このように本実施形態では、保存部１１を備えたことによって、停電などが生じても停電前の状態に戻することができる。
【００４９】
ここで本実施形態の制御部１０は、保存部１１にバックアップされたチャンネルを記憶部９に設定可能か否かを判断し、設定不可能と判断したときには、設定待機状態となる。これにより、保存部１１でバックアップされたチャンネルが記憶部９に設定されなかったときでも、制御部１０が設定待機状態となるので、実施形態１と同様、ユーザーは送信器Ｂで装置本体Ａを操作しようとするときに意識することなく送信器Ｂで指定されるチャンネルを記憶部９に設定することができる。その結果、従来例のように、ユーザーが装置本体側のリセットスイッチや設定スイッチを操作してチャンネルを設定しなければならないといった手間を省くことができる。
【００５０】
ところで、本実施形態においても、実施形態１と同様、ノイズなどの影響により記憶部９のチャンネルの記憶データに異常が生じて、判別部８で前記チャンネルを認識できなくなることがある。
【００５１】
例えば、照明器具の施工直後などにユーザーの意図しないデータが保存部１１に保存されていたり、ノイズなどの影響で制御部１０が暴走して制御部１０の保存部１１からのチャンネルの読み出しに障害が生じたり、保存部１１に保存していたチャンネルの保存データが一部でも失われたり、前記保存データが別なデータに変化したりして、判別部８は記憶部９のチャンネルを認識できなくなる。
【００５２】
しかし、本実施形態においても実施形態１と同様、制御部１０が、記憶部９に記憶されているチャンネルを判別部８で認識可能か否かを検知して、認識不可能と検知したときには設定待機状態となるので、上述のような何れの事象が生じても、ユーザーは意識することなく送信器Ｂで指定するチャンネルを記憶部９に設定することができる。
（実施形態３）
ところで実施形態１及び２では、リセットスイッチを有するリセット手段を装置本体Ａに備えたが、本実施形態では送信器Ｂに備えている。
【００５３】
つまり、送信器Ｂは、リセットスイッチが操作されることで、マイクロコンピュータにリセットするように指示するリセット信号を送信する。そして、制御部１０は、受信部７で前記リセット信号が受信されると、リセットする。また、送信器Ｂに、内部回路への給電をオン／オフする電源スイッチを備えて、前記電源スイッチがオフからオンに切り換えられたときに、上記リセット信号を送信させても良い。
【００５４】
このような本実施形態の動作について、図３に基づいて説明する。
【００５５】
照明器具が天井に据え付けられたとき、実施形態１及び２では、装置本体Ａにあるリセットスイッチを操作してマイクロコンピュータをリセットさせたが、本実施形態ではその必要がなく、ユーザーは送信器Ｂの電源スイッチをオフからオン、又はリセットスイッチを操作して、送信器Ｂからリセット信号を送信させることで、マイクロコンピュータを容易にリセットして制御部１０を設定待機状態にすることができるのである。そしてこのときに、実施形態１及び２と同様、ユーザーが装置本体Ａを操作しようとして送信器Ｂからワイヤレス信号でチャンネルＣＨ２を指定するチャンネル信号を送信すると、制御部１０は、受光部７で受信されたチャンネル信号をデコードして、指定されたチャンネルＣＨ２を記憶部９に設定する。
【００５６】
上述のようにチャンネルが設定されることで、装置本体Ａは、送信器Ｂのスイッチ２１〜２６で操作可能な状態となって、ユーザーが再び送信器Ｂから前記チャンネル信号を有するワイヤレス信号を送信したときには、判別部８は、記憶部９に設定されたチャンネルＣＨ２を認識し、このチャンネルＣＨ２が送信器Ｂからのチャンネル信号で指定されるチャンネルＣＨ２に一致すると判別するので、制御部１０は、ワイヤレス信号の制御信号に応じて点灯制御回路部３，６を制御する。
【００５７】
そして、ノイズが記憶部９に印加されて記憶部９に記憶されているチャンネルの記憶データに異常が生じ、判別部８で前記チャンネルを認識できなくなっても、実施形態１及び２と同様、制御部１０は設定待機状態となって、送信器Ｂからワイヤレス信号でチャンネルＣＨ２を指定するチャンネル信号が送信されると、装置本体Ａが送信器Ｂで操作可能な状態となる。
【００５８】
上述のような本実施形態では、従来例のように、マイクロコンピュータをリセットして記憶部に初期設定チャンネルを記憶させる機能を装置本体に設ける必要が無いので、リセットスイッチを含む前記機能を削除して、装置本体Ａの小型化及び低コスト化を図ることができる。
【００５９】
【発明の効果】
請求項１の発明は、設定されたチャンネルを有し、１乃至複数の照明負荷を点灯制御する装置本体と、チャンネルを指定するチャンネル信号及び装置本体を制御する制御信号を送信する送信器とからなる照明装置であって、装置本体は、前記照明負荷を点灯させる点灯回路部と、送信器からのチャンネル信号及び制御信号を受信する受信部と、チャンネルを記憶する記憶部と、受信部で受信されたチャンネル信号により指定されるチャンネルが、記憶部に記憶されているチャンネルに一致するか否かを判別する判別部と、判別部で前記チャンネルが互いに一致すると判別されたとき、受信部で受信された制御信号に応じて点灯回路部を制御する制御部とを備え、制御部は、記憶部に記憶されているチャンネルが判別部で認識不可能なとき、送信器から送信されるチャンネル信号で指定されたチャンネルを記憶部に設定する設定待機状態となるので、例えばノイズなどが印加されて記憶部に記憶されているチャンネルの記憶状態に異常が生じたときには、判別部で前記チャンネルを認識できなくなるが、このときに制御部を設定待機状態とすることによって、ユーザーが装置本体を操作しようとして送信器からチャンネル信号及び制御信号を送信すると、前記チャンネル信号で指定されるチャンネルが記憶部に設定されるため、ユーザーは意識することなく容易にチャンネルを設定することができて使い勝手を向上することができるという効果がある。
【００６０】
請求項２の発明は、設定されたチャンネルを有し、１乃至複数の照明負荷を点灯制御する装置本体と、チャンネルを指定するチャンネル信号及び装置本体を制御する制御信号を送信する送信器とからなる照明装置であって、装置本体は、前記照明負荷を点灯させる点灯回路部と、送信器からのチャンネル信号及び制御信号を受信する受信部と、チャンネルを記憶する記憶部と、受信部で受信されたチャンネル信号により指定されるチャンネルが、記憶部に記憶されているチャンネルに一致するか否かを判別する判別部と、判別部で前記チャンネルが互いに一致すると判別されたとき、受信部で受信された制御信号に応じて点灯回路部を制御する制御部とを備えるとともに、制御部をリセットするリセット手段を装置本体及び送信器のうち少なくとも何れか一方に備え、制御部は、リセット手段によりリセットされたとき、送信器から送信されるチャンネル信号で指定されたチャンネルを記憶部に設定する設定待機状態となるので、前記設定待機状態のときにユーザーが装置本体を操作しようとして送信器からチャンネル信号及び制御信号を送信すると、前記チャンネル信号で指定されるチャンネルが記憶部に設定されるため、ユーザーは意識することなく容易にチャンネルを設定することができて使い勝手を向上することができ、例えば従来例のように、送信器で指定するチャンネルと異なる初期設定チャンネルが記憶部に設定されて、送信器から装置本体を操作できなることで、チャンネルを設定し直さなければならないといった手間を省くことができるとともに、初期設定チャンネルを設定する必要がないので、前記初期設定チャンネルのデータ容量を削減することができるという効果がある。
【００６１】
請求項３の発明は、設定されたチャンネルを有し、１乃至複数の照明負荷を点灯制御する装置本体と、チャンネルを指定するチャンネル信号及び装置本体を制御する制御信号を送信する送信器とからなる照明装置であって、装置本体は、前記照明負荷を点灯させる点灯回路部と、送信器からのチャンネル信号及び制御信号を受信する受信部と、チャンネルを記憶する記憶部と、受信部で受信されたチャンネル信号により指定されるチャンネルが、記憶部に記憶されているチャンネルに一致するか否かを判別する判別部と、判別部で前記チャンネルが互いに一致すると判別されたとき、受信部で受信された制御信号に応じて点灯回路部を制御する制御部と、記憶部に記憶されているチャンネルをバックアップ用に保存する保存部とを備え、制御部は、保存部によりバックアップされて記憶部に再び記憶されたチャンネルが判別部で認識不可能なとき、送信器から送信されるチャンネル信号で指定されたチャンネルを記憶部に設定する設定待機状態となるので、例えばノイズなどが印加されて記憶部に記憶されているチャンネルの記憶状態に異常が生じたときには、判別部で前記チャンネルを認識できなくなるが、このときに制御部を設定待機状態とすることで、ユーザーが装置本体を操作しようとして送信器からチャンネル信号及び制御信号を送信すると、前記チャンネル信号で指定されるチャンネルが記憶部に設定されるため、ユーザーは意識することなく容易にチャンネルを設定することができて使い勝手を向上することができるので。
【００６２】
請求項４の発明は、設定されたチャンネルを有し、１乃至複数の照明負荷を点灯制御する装置本体と、チャンネルを指定するチャンネル信号及び装置本体を制御する制御信号を送信する送信器とからなる照明装置であって、装置本体は、前記照明負荷を点灯させる点灯回路部と、送信器からのチャンネル信号及び制御信号を受信する受信部と、チャンネルを記憶する記憶部と、受信部で受信されたチャンネル信号により指定されるチャンネルが、記憶部に記憶されているチャンネルに一致するか否かを判別する判別部と、判別部で前記チャンネルが互いに一致すると判別されたとき、受信部で受信された制御信号に応じて点灯回路部を制御する制御部と、記憶部に記憶されているチャンネルをバックアップ用に保存する保存部とを備え、制御部は、保存部によりバックアップされたチャンネルが記憶部に設定不可能なとき、設定待機状態となるので、保存部によりバックアップされたチャンネルを記憶部に設定できなかったとき、制御部を設定待機状態とすることによって、ユーザーが装置本体を操作しようとして送信器からチャンネル信号及び制御信号を送信すると、前記チャンネル信号で指定されるチャンネルが記憶部に設定されるため、ユーザーは意識することなく容易にチャンネルを設定することができて使い勝手を向上することができ、例えば従来例のように、ユーザーが装置本体側のリセットスイッチや設定スイッチを操作してチャンネルを設定しなければならないといった手間を省くことができるという効果がある。
【００６３】
請求項５の発明は、リセット手段は、送信器に備えられて、制御部にリセットするように指示するリセット信号を送信し、制御部は、受信部で前記リセット信号が受信されると、リセットするので、例えば従来例のように装置本体側のリセットスイッチを操作することを要さずに、送信器で容易に制御部をリセットすることができ、且つ装置本体にリセットスイッチを要しないので、装置本体の小型化および低コスト化を図ることができるという効果がある。
【００６４】
請求項６の発明は、請求項１〜５の照明装置を備えた照明器具であって、装置本体が配設される器具本体を備えたので、請求項１〜５と同様の効果を奏する。
【図面の簡単な説明】
【図１】（ａ）は実施形態１を示すブロック図、（ｂ）は同上の動作説明図である。
【図２】本実施形態２を示すブロック図である。
【図３】実施形態３を示す動作説明図である。
【図４】従来例を示す動作説明図である。
【符号の説明】
１  蛍光ランプ
２  豆球
３  点灯回路部
４  受信制御部
５  駆動回路
６  点灯回路部
７  受光部
８  判別部
９  記憶部
１０  制御部
Ａ  装置本体
Ｂ  送信器
【図１】
0003760796.tif 000002
【図２】
0003760796.tif 000003
【図３】
0003760796.tif 000004
【図４】
0003760796.tif 000005